(57)【要約】【課題】空気の吹出状態の多様化を達成することが可能な小型の送風装置及びそれを備える収納庫を提供する。【解決手段】送風装置１０は、送風機と、該送風機を収納する筐体１と、該筐体１に形成され、送風機が空気を吸い込む吸込口３及び吸い込んだ空気を吹き出す吹出口とを備え、吹出口は空気を拡散して吹き出す拡散用吹出口２ａ，２ｂと、空気を集中して吹き出す集中用吹出口４とを備える。送風装置１０は、拡散用吹出口２ａ，２ｂ及び集中用吹出口４を切り替えて何れか一方から空気を吹き出すように構成されている。【選択図】図１
2013242109.tif 000002
【特許請求の範囲】
【請求項１】
送風機と、該送風機を収納する筐体と、該筐体に形成され、前記送風機が空気を吸い込む吸込口及び吸い込んだ空気を吹き出す吹出口とを備える送風装置において、
前記吹出口は、空気を拡散して吹き出す拡散用吹出口と、
空気を集中して吹き出す集中用吹出口と
を備えることを特徴とする送風装置。
【請求項２】
前記拡散用吹出口及び集中用吹出口を切り替えて何れか一方から空気を吹き出すように構成されていることを特徴とする請求項１に記載の送風装置。
【請求項３】
前記集中用吹出口に扉が設けられており、
該扉の開閉によって、前記拡散用吹出口及び集中用吹出口を切り替えるように構成されていることを特徴とする請求項２に記載の送風装置。
【請求項４】
前記吸込口、送風機、集中用吹出口、及び拡散用吹出口を順次に連結する送風経路を備えることを特徴とする請求項３に記載の送風装置。
【請求項５】
前記吸込口、送風機、及び拡散用吹出口を連結する第一送風経路と、
前記吸込口、送風機、及び集中用吹出口を連結する第二送風経路と
を備え、
該扉の開閉によって、前記第一送風経路及び第二送風経路を切り替えるように構成されていることを特徴とする請求項３に記載の送風装置。
【請求項６】
前記拡散用吹出口は、複数の開口を備え、
該複数の開口夫々から吹き出される気流は異なる方向に向かうように構成されていることを特徴とする請求項１から５の何れかに記載の送風装置。
【請求項７】
前記集中用吹出口から吹き出される気流と、前記拡散用吹出口から吹き出される気流とは、異なる方向に向かうように構成されていることを特徴とする請求項１から６の何れかに記載の送風装置。
【請求項８】
帯電粒子を発生させる帯電粒子発生手段を備えることを特徴とする請求項１から７の何れかに記載の送風装置。
【請求項９】
請求項１から８の何れかに記載の送風装置を備えることを特徴とする収納庫。
【発明の詳細な説明】
【技術分野】
【０００１】
本発明は、空気を拡散して吹き出す拡散用吹出口と、空気を集中して吹き出す集中用吹出口とを備える送風装置、及びそれを備える収納庫に関する。
【背景技術】
【０００２】
特許文献１には、静電霧化装置付の送風装置を備える衣類収納庫が記載されている。静電霧化装置は、水粒子放出部と対向電極との間に高電圧を印加することで水粒子放出部の水を霧化してナノメータサイズの帯電微粒子水を生成する。送風装置は静電霧化装置によって生成される帯電微粒子水を衣類収納庫内の空間に放出することで、衣類収納庫内の衣類等に付着した臭気成分を効果的に除去でき、且つ衣類収納庫内におけるカビ及び菌の発生を効果的に防止できる。
【０００３】
また、特許文献２及び特許文献３には、空気中で放電して正イオンＨ+（Ｈ2 Ｏ）m （ｍは任意の自然数）と負イオンＯ2-（Ｈ2 Ｏ）n （ｎは任意の自然数）とを発生するイオン発生装置が記載されている。これらの正イオンと負イオンとを空気中に放出することで、空気中の浮遊菌及びカビを除去することができる。このようなイオン発生装置は、特許文献１に記載の静電霧化装置の代わりに使用でき、同様な効果がある。
【先行技術文献】
【特許文献】
【０００４】
【特許文献１】特開２００６−６１４０９号公報
【特許文献２】特開２００３−４７６５１号公報
【特許文献３】特許第３７７３７６７号公報
【発明の概要】
【発明が解決しようとする課題】
【０００５】
しかしながら、特許文献１の送風装置は、吹き出された帯電微粒子水を衣類収納庫内に放出して、その効果を発揮させるものであり、吹出口が一つだけ設けられているため、特定の衣類等の臭いを集中して除去しようとする場合では、帯電微粒子水を含む空気の吹出形態を変更することができない。
【０００６】
本発明は、斯かる事情に鑑みてなされたものであり、簡単な構成で空気の吹出形態の多様化を達成することが可能な小型の送風装置及びそれを備える収納庫を提供することを目的とする。
【課題を解決するための手段】
【０００７】
本発明に係る送風装置は、送風機と、該送風機を収納する筐体と、該筐体に形成され、前記送風機が空気を吸い込む吸込口及び吸い込んだ空気を吹き出す吹出口とを備える送風装置において、前記吹出口は、空気を拡散して吹き出す拡散用吹出口と、空気を集中して吹き出す集中用吹出口とを備えることを特徴とする。
【０００８】
本発明では、前記吹出口は、空気を拡散して吹き出す拡散用吹出口と、空気を集中して吹き出す集中用吹出口とを備えるため、異なる吹出状態で空気を吹き出すことができる。
【０００９】
本発明に係る送風装置は、前記拡散用吹出口及び集中用吹出口を切り替えて何れか一方から空気を吹き出すように構成されていることを特徴とする。
【００１０】
本発明では、前記拡散用吹出口及び集中用吹出口を切り替えて何れか一方から空気を吹き出すことで、必要に応じて吹出状態を変更することができる。
【００１１】
本発明に係る送風装置は、前記集中用吹出口に扉が設けられており、該扉の開閉によって、前記拡散用吹出口及び集中用吹出口を切り替えるように構成されていることを特徴とする。
【００１２】
本発明では、集中用吹出口の扉の開閉によって、前記拡散用吹出口及び集中用吹出口を切り替えることで、吹出口を簡単に切り替えることができる。
【００１３】
本発明に係る送風装置は、前記吸込口、送風機、集中用吹出口、及び拡散用吹出口を順次に連結する送風経路を備えることを特徴とする。
【００１４】
本発明では、吸込口、送風機、集中用吹出口、及び拡散用吹出口を順次に連結する送風経路を備えるため、簡単な構造で扉の開閉によって吹出口を切り替えることができる。
【００１５】
本発明に係る送風装置は、前記吸込口、送風機、及び拡散用吹出口を連結する第一送風経路と、前記吸込口、送風機、及び集中用吹出口を連結する第二送風経路とを備え、該扉の開閉によって、前記第一送風経路及び第二送風経路を切り替えるように構成されていることを特徴とする。
【００１６】
本発明では、吸込口、送風機、及び拡散用吹出口を連結する第一送風経路と、吸込口、送風機、及び集中用吹出口を連結する第二送風経路とを備えるため、第一送風経路及び第二送風経路を切り替えることで、吹出口を切り替えることができる。
【００１７】
本発明に係る送風装置は、前記拡散用吹出口は、複数の開口を備え、該複数の開口夫々から吹き出される気流は異なる方向に向かうように構成されていることを特徴とする。
【００１８】
本発明では、拡散用吹出口の複数の開口夫々から吹き出される気流は異なる方向に向けることで、気流の拡散効果を向上させることができる。
【００１９】
本発明に係る送風装置は、前記集中用吹出口から吹き出される気流と、前記拡散用吹出口から吹き出される気流とは、異なる方向に向かうように構成されていることを特徴とする。
【００２０】
本発明では、前記集中用吹出口から吹き出される気流と、前記拡散用吹出口から吹き出される気流とを、異なる方向に向けることで、必要に応じて空気の吹出方向を変更することができる。
【００２１】
本発明に係る送風装置は、帯電粒子を発生させる帯電粒子発生手段を備えることを特徴とする。
【００２２】
本発明では、帯電粒子を発生させる帯電粒子発生手段を備えるため、帯電粒子を含む空気を吹き出して、空気の浄化及び除菌を行うことができる。
【００２３】
本発明に係る収納庫は、前記送風装置を備えることを特徴とする。
【００２４】
本発明では、収納庫は前記各送風装置を備えるため、その内部の空気の流通を改善し、浄化及び除菌を行うことができる。
【発明の効果】
【００２５】
本発明の送風装置によれば、通常使用時には拡散用吹出口を使用して空気を広く拡散して吹き出すとともに、必要な時には、集中用吹出口を使用して特定の方向に集中して空気を吹き出すことができる。これにより、空気の吹出状態の多様化を達成し、必要に応じて空気の吹出状態を変更することができる。
【００２６】
また、このような送風装置に帯電粒子発生手段を設けることにより、集中して吹き出された気流内では帯電粒子の濃度が飛躍的に高くなり、帯電粒子による殺菌効果及び脱臭効果を最大限に得ることができる。
【図面の簡単な説明】
【００２７】
【図１】本発明の実施の形態１に係る送風装置の外観斜視図である。
【図２】本発明の実施の形態１に係る送風装置の外観平面図である。
【図３】本発明の実施の形態１に係る送風装置の外観側面図である。
【図４】図３中のＩＶ−ＩＶ線による送風装置の平面断面図である。
【図５】図２中のＶ−Ｖ線による送風装置の側面断面図である。
【図６】イオン発生素子の外観斜視図である。
【図７】イオン発生素子の回路の例を示す等価回路図である。
【図８】本発明の実施の形態１に係る送風装置の制御構成を示すブロック図である。
【図９】通常吹出の場合の気流を図２中のＩＸ−ＩＸ断面で捉えた概念図である。
【図１０】集中吹出の場合の気流を図２中のＩＸ−ＩＸ断面で捉えた概念図である。
【図１１】本発明の実施の形態１に係る送風装置を衣類収納庫に設置した場合の、通常吹出時の気流の動きを示す概念図である。
【図１２】本発明の実施の形態１に係る送風装置を衣類収納庫に設置した場合の、集中吹出時の気流の動きを示す概念図である。
【図１３】静電霧化装置の構造を示す模式図である。
【図１４】本発明の実施の形態２に係る送風装置の外観平面図である。
【図１５】本発明の実施の形態２に係る送風装置の外観側面図である。
【図１６】図１４中のＸＶＩ−ＸＶＩ線による送風装置の側面断面図である。
【図１７】図１４中のＸＶＩＩ−ＸＶＩＩ線による送風装置の側面断面図である。
【図１８】図１５中のＸＶＩＩＩ−ＸＶＩＩＩ線による送風装置の平面断面図である。
【図１９】集中吹出の場合の気流を図１４中のＸＶＩ−ＸＶＩ線断面で捉えた概念図である。
【図２０】集中吹出の場合の気流を図１４中のＸＶＩＩ−ＸＶＩＩ線断面で捉えた概念図である。
【発明を実施するための最良の形態】
【００２８】
（実施の形態１）
図１は、本発明の実施の形態１に係る送風装置１０の外観斜視図である。図１において、１は筐体、３は周囲の空気を吸い込む吸込口である。２ａ及び２ｂ夫々は吸込口３から吸い込んだ空気を周辺に拡散して吹き出す拡散用吹出口、４は吸込口３から吸い込んだ空気を集中して吹き出す集中用吹出口である。集中用吹出口４には手動で開閉可能なスライド式の扉４ａが設けられている。実施の形態１では、扉４ａは平面視で概ね矩形に形成された、ある程度湾曲可能な薄板である。集中用吹出口４は、扉４ａを拡散用吹出口２ｂの方向へスライドすることで開放される。送風装置１０は、後述するように、扉４ａの開閉によって拡散用吹出口２ａ，２ｂ及び集中用吹出口４を切り替えて何れか一方から空気を吹き出すことができる。
【００２９】
図２は本発明の実施の形態１に係る送風装置１０の外観平面図、図３は本発明の実施の形態１に係る送風装置１０の外観側面図である。図２及び図３に示すように、筐体１は、平面視でほぼ矩形を成した正面ケース１ａ及び背板１ｂで構成されている。集中用吹出口４は、正面ケース１ａの平面視においてほぼ中央部分に開設されている。吸込口３は、正面ケース１ａの一側面に開設されている。該一側面と反対する側面には、入力部５１と表示部５２とを備える操作部５が設けられている。拡散用吹出口２ａ，２ｂ夫々は、残りの両側面に開設されている。また、背板１ｂが備わる面は、送風装置１０の壁又は天井への取り付面となっている。
【００３０】
図４は、図３中のＩＶ−ＩＶ線による送風装置の平面断面図、図５は、図２中のＶ−Ｖ線による送風装置の側面断面図である。
図４及び図５に示すように、筐体１の内部のほぼ中央には、四方を隔壁６６で囲んだ室が設けられており、該室の内部に送風機８が設置されている。送風機８は、例えばプロペラファンであり、回転軸が背板１ｂに直交するように、背板１ｂの内面から所定の距離を離して設置されている。隔壁６６の吸込口３に面する側には、送風路壁６３，６４が隔壁６６と繋がるように、背板１ｂから正面ケース１ａの内面に到達して立設されている。送風路壁６３と送風路壁６４との間の隔壁６６は、背板１ｂ側の部分が切除されて開口が形成されている。このように、送風路壁６３，６４、正面ケース１ａ、及び背板１ｂは、吸込口３及び送風機８を繋ぐ送風路６ｃを形成する。送風路６ｃには、放電でイオンを発生させるイオン発生素子７が設けられている。
【００３１】
隔壁６６の拡散用吹出口２ａ，２ｂに面する両側には、送風路壁６１，６２，６５が隔壁６６と繋がるように背板１ｂの内面から正面ケース１ａの内面に到達して立設されている。送風路壁６１と送風路壁６２との間の隔壁６６は、正面ケース１ａ側の部分が切除されて開口が形成されている。このように、送風路壁６１，６２、正面ケース１ａ、及び背板１ｂは、送風機８及び拡散用吹出口２ａを繋ぐ送風路６ａを形成する。また、送風路壁６１と送風路壁６５との間の隔壁６６は、正面ケース１ａ側の部分が切除されて開口が形成されている。このように、送風路壁６１，６５、正面ケース１ａ、及び背板１ｂとは、送風機８及び拡散用吹出口２ｂを繋ぐ送風路６ｂを形成する。これにより、筐体１内には、吸込口３、送風機８、集中用吹出口４、拡散用吹出口２ａ，２ｂを順次に連結する送風経路が構成される。送風機８が駆動された場合、空気は吸込口３から吸い込まれ、送風路６ｃを経て、送風機８から集中用吹出口４の方向へ送出される。集中用吹出口４が閉鎖されている場合には、送風機８から送出された気流は、正面ケース１ａ及び扉４ａにより強制的にほぼ直角に曲げられ、隔壁６６の開口を通じて拡散用吹出口２ａ，２ｂから吹き出される。集中用吹出口４が開放されている場合には、送風機８から送出された気流は、拡散用吹出口２ａ，２ｂを通過することなく、集中用吹出口４から直接に吹き出される。
【００３２】
図６はイオン発生素子７の外観斜視図、図７はイオン発生素子７の回路の例を示す等価回路図である。図６及び図７に示すように、イオン発生素子７は、放電電極７ａ、放電電極穴７ｂ、ガード７ｃ、素子本体７ｄ、及びイオン放出穴７ｅを備える。放電電極７ａは、尖端部を有する金属で形成されており、素子本体７ｄに設けた放電電極穴７ｂから突出し、その尖端部がガード７ｃよりも内側になるように設けられている。実施の形態１で使用するイオン発生素子７は、２つの放電電極７ａを備えており、一方の放電電極７ａから正イオンＨ+ （Ｈ2 Ｏ）m （ｍは任意の自然数）、他方の放電電極７ａから負イオンＯ2-（Ｈ2 Ｏ）n （ｎは任意の自然数）を発生させる。
【００３３】
図６に示すように、ガード７ｃは、素子本体７ｄから所定の距離を離して素子本体７ｄに一体に設けられる板状部品であり、放電電極７ａの延長した軸線が中心となるようにイオン放出穴７ｅが開設されている。ガード７ｃが放電電極７ａを覆うような位置に設けられることで、メンテナンス時に不注意に放電電極７ａが損傷されること、使用者が指先などを傷つけることを防止することができる。
【００３４】
図７に示すように、素子本体７ｄの外郭部には、端子７ｇが設けられており、例えばＡＣ１００Ｖの外部電源からの電力供給を受ける。素子本体７ｄ内部には、放電電極７ａに印加するための高圧電気を生成する回路が収納される。抵抗及びコンデンサ等で構成される回路によって生成された電気パルスは、高圧トランス７ｆによって高圧電気パルスとされ、放電電極７ａに印加されて、放電電極７ａの尖端部で放電して、イオンを発生させる。
【００３５】
実施の形態１において、イオン発生素子７がイオン放出穴７ｅを背板１ｂに対向するような姿勢で設けられ、吸込口３から吸い込まれた空気中にイオンが混合される。筐体１内には、送風路６ｃ側と反対側の空間に、イオン発生素子７及び送風機８等を制御する制御部９が設置されている。
【００３６】
図８は、本発明の実施の形態１に係る送風装置１０の制御構成を示すブロック図である。制御部９は、例えば、ＣＰＵ、ＲＯＭ、ＲＡＭを備えるマイクロコンピュータである。制御部９はタイマ９１を備えており、入力部５１、表示部５２、イオン発生素子７、及び送風機８に接続されている。
【００３７】
入力部５１は、例えば、運転モード選択スイッチ、タイマ運転選択スイッチ等を有する。運転モード選択スイッチが押されることによって、「連続」、「間欠」、又は「切」いずれか１つの運転に切り替えられる。タイマ運転選択スイッチが押されることによって、所望の運転時間が選択される。ここで、入力部５１としては、更に、イオン発生素子の運転開始・停止スイッチ、固定タイマの運転開始・停止スイッチ、タイマ時間設定部等を有して良い。
【００３８】
入力部５１が操作されると、制御部９はユーザから運転内容等の指示を受け付け、その指示に応じてイオン発生素子７、送風機８及びタイマ９１を動作させたり、表示部５２に送風装置１０が運転中である旨を表示させたりする。ここで、表示部５２としては、ＬＥＤ又は液晶パネル等が挙げられ、設定されている運転条件、機器運転状況、機器異常状況、警報等を表示する。なお、表示部５２は、報知ブザーを備えても良い。
【００３９】
このように構成された送風装置１０が運転している時の気流の動きを図４、図５、図９及び図１０を参照して説明する。以下の説明において、拡散用吹出口２ａ，２ｂから空気を吹き出す状態を通常吹出と、集中用吹出口４から空気を吹き出す状態を集中吹出と称する。図９は、通常吹出の場合の気流を図２中のＩＸ−ＩＸ断面で捉えた概念図であり、図１０は、集中吹出の場合の気流を図２中のＩＸ−ＩＸ断面で捉えた概念図である。
【００４０】
例えば、入力部５１の運転モード選択スイッチが押されて運転モードが「連続」と選択された場合、制御部９は、送風機８及びイオン発生素子７に通電して運転を開始させる。この場合、タイマ運転選択スイッチが押されて所望の運転時間が選択されると、タイマ９１による計時が開始され、制御部９は、選択された運転時間に亘って送風機８及びイオン発生素子７を連続運転させる。
【００４１】
まず、通常吹出の場合の気流の動きについて説明を行う。通常吹出の場合では、集中用吹出口４が閉鎖されている。送風機８の動作に伴って吸込口３から吸い込まれた気流ＳＡは、送風路６ｃを通って、送風機８の吸込み側に入る。気流ＳＡは送風機８を通過し、集中用吹出口４の方向へ送出され、扉４ａに衝突して分かれて、夫々に送風路６ａ及び送風路６ｂを通過して気流ＥＡ１及び気流ＥＡ２として拡散用吹出口２ａ，２ｂから吹き出される。また、イオン発生素子７の動作に伴って、放電電極７ａで正負イオンが発生され、吸込口３から吸い込まれた気流ＳＡは、放電電極７ａを包み込むようにして流通し、正負イオンを含んで送風機８の吸込み側に入る。正負イオンは送風装置１０の外部へ放出され、空気中の浮遊物表面に取り付いて反応して、空気中の浮遊細菌の殺菌及び臭気の除去を行うことができる。
【００４２】
次に、集中吹出の場合の気流の動きについて説明を行う。集中吹出の場合では、集中用吹出口４が開放され、拡散用吹出口２ｂが扉４ａによって閉止される。送風機８の動作に伴って吸込口３から吸い込まれた気流ＳＡは、送風路６ｃを通って、送風機８の吸込み側に入る。気流ＳＡは送風機８を通過して、集中用吹出口４から気流ＥＡとして吹き出される。また、イオン発生素子７の動作に伴って、放電電極７ａで正負イオンが発生され、吸込口３から吸い込まれた気流ＳＡは、放電電極７ａを包み込むようにして流通し、正負イオンを含んで送風機８の吸込み側に入る。正負イオンは送風装置１０の外部へ放出され、空気中の浮遊物表面に取り付いて反応して、空気中の浮遊細菌の殺菌及び臭気の除去を行うことができる。
【００４３】
集中吹出の場合は、通常吹出の場合と比較して、一つの方向に送出される正負イオンの量が多い。通常吹出の場合に気流が２方向に分割されたため、集中吹出の場合に一つの方向に送出されるイオン量は通常吹出の場合の約２倍になる。更に、集中吹出の場合では、送風機８を通過した後、外部に吹き出されるまでの経路が短く直線的であり、正面ケース１ａ等との接触が少ないため、正負イオンが正面ケース１ａ等に衝突して消滅されることはなく、発生した正負イオンを最大限活用することが可能になる。
【００４４】
実施の形態１では、空気の吹出口は空気を拡散して吹き出す拡散用吹出口２ａ，２ｂと、空気を集中して吹き出す集中用吹出口４とを備えるため、異なる吹出状態で空気を吹き出すことができる。また、集中用吹出口４に設けた扉４ａを開閉することで、吹き出される気流を集中気流、又は拡散気流とすることができ、必要に応じて吹出状態を変更することができる。更に、吸込口３、送風機８、集中用吹出口４、及び拡散用吹出口２ａ，２ｂを順次に連結する送風経路を形成しており、集中用吹出口４が閉鎖されている場合には、正面ケース１ａ及び扉４ａにて、送風機８を通過した気流を強制的にほぼ直角に曲げることで、扉４ａが特別な構造を必要とせず、拡散用吹出口２ａ，２ｂから空気を吹き出すことができ、集中用吹出口４が開放されている場合には、送風路６ａ及び送風路６ｂへの気流漏れがほとんどなく集中用吹出口４から空気を吹き出すことができる。
【００４５】
以上の説明においては、集中用吹出口４の扉４ａは片側に開く片開きスライド扉としたが、両側に分割して開く両開き式スライド扉としても構わない。また、スライド式ではなく、観音開き式の扉としても良い。更に、扉ではなく、取り外し可能なキャップとしておき、集中吹出の場合ではキャップを取り外し、通常吹出の場合ではキャップを取り付けておく構造であっても良い。
【００４６】
以上の説明においては、拡散用吹出口２ａ，２ｂは、筐体１の反対する両側面に分割して設けられるが、何れか一方でも良い。拡散用吹出口が一方に設けられる場合には、送風路が出口に近づくほど横幅方向、又は高さ方向に拡大するように形成される構造であればよい。このようにすれば、ディフューザーのように、吹出された気流を様々な方向に向けて拡散させることができる。また、拡散用吹出口は、２つの開口が開設されているが、各開口から吹き出される気流が異なる方向に向かう構造であれば、３つ以上の開口であっても良い。更に、集中用吹出口４は平面視で正面ケース１ａのほぼ中央に設けられているが、集中用吹出口４から吹出される気流と、各拡散用吹出口から吹出される気流とが異なる方向に向かう構造であれば、集中用吹出口４は他の場所に設けられても良い。
【００４７】
また、以上の説明においては、集中用吹出口４の扉４ａは、手動で開閉するものであるが、扉４ａにラックギアを設けて、これに噛合するピニオンギアをモータで駆動して開閉する方法、リンクを用いてモータ及びソレノイドで駆動して開閉する方法等、一般に使用される方法によって自動的に開閉するものであっても良い。扉４ａが自動的に開閉するように構成される場合には、操作部５に扉４ａの開閉を指示するスイッチを設けることが好ましい。
【００４８】
また、送風機８は実施の形態１に示すプロペラファンに限らず、ターボファン、シロッコファン、クロスフローファン等の他の形式のファンであっても良い。
【００４９】
次に、本発明の送風装置１０を収納庫に使用する例について説明する。図１１は、本発明の実施の形態１に係る送風装置１０を衣類収納庫１１に設置した場合の、通常吹出時の気流の動きを示す概念図であり、図１２は、本発明の実施の形態１に係る送風装置１０を衣類収納庫１１に設置した場合の、集中吹出時の気流の動きを示す概念図である。図１１及び図１２は、衣類収納庫１１の図示しない扉側から奥側へ見た衣類収納庫１１の内部の状態を示している。衣類収納庫１１の内部の天井１１ａには、送風装置１０が設置されている。
【００５０】
図１１を参照しながら送風装置１０の通常吹出の場合について説明する。図１１において、送風装置１０は、集中用吹出口４が閉鎖され、拡散用吹出口２ａ，２ｂが開放されている状態になっている。衣類収納庫１１の内部には、衣類１２が吊るされており、夫々の衣類に若干の隙間がある状態である。
【００５１】
送風装置１０は、操作部５及び吸込口３夫々が衣類収納庫１１の奥行方向に、拡散用吹出口２ａ，２ｂが衣類収納庫１１の短手方向（図面において左右方向）に設置されており、吸込口３が操作部５よりも衣類収納庫１１の奥側に位置している。気流ＳＡは衣類収納庫１１の奥側から吸い込まれて、拡散用吹出口２ａ，２ｂを経由して、夫々気流ＥＡ１と気流ＥＡ２となって衣類収納庫１１の内部短手方向に分かれて吹き出される。
【００５２】
気流ＥＡ１と気流ＥＡ２とは、衣類１２の隙間を通過して、夫々衣類収納庫１１の最下部まで降下する。衣類収納庫１１の最下部まで到達した気流ＥＡ１と気流ＥＡ２は、夫々衣類収納庫１１の床に沿って中央部に集まり、衣類１２と図示しない扉又は背板との隙間を通過して上昇し、再び送風装置１０に吸い込まれる。
【００５３】
このような衣類収納庫１１内に、使用者が新たに脱いだ衣類を収納する場合には、送風装置１０の吹出口を拡散用吹出口２ａ，２ｂから集中用吹出口４に切り替えることが好ましい。図１２に示すように、吹出口を集中用吹出口４に切り替えた場合に、送風装置１０はその真下方向に気流ＥＡを集中的に吹き出し、イオン濃度を集中的に高めることができる。
【００５４】
使用者は、外出から帰った時に脱いだ衣類等を、送風装置１０の集中用吹出口４から吹き出される気流が直接当たる位置に吊るすのが良い。このような時に、集中用吹出口４から気流を所定の時間吹き出した後に、拡散用吹出口２ａ，２ｂから気流を吹き出すのが好ましい。
【００５５】
以上の説明において、イオン発生素子７は正負イオンを発生させるものとしたが、正イオンまたは負イオンのどちらかを発生させるものであっても良い。また、イオン発生素子７を搭載した送風装置１０に代わって、イオン発生素子７を搭載しない単なる送風装置を使用しても良い。衣類収納庫１１等では、イオン発生素子７を搭載しない送風装置は、常に気流を発生させることにより、湿気が滞留することがなくなり、カビ発生等を抑制することができる。
【００５６】
また、イオン発生素子７に代わって、水に高電圧を印加して帯電微粒子水を発生させる後述する静電霧化装置７７（図１３を参照）を使用しても良い。更に、イオン発生素子７と静電霧化装置７７との組み合わせで使用しても良い。本願の請求項中の「帯電粒子」は、イオン発生素子７が発生するイオン、及び静電霧化装置７７が発生する帯電微粒子水を含んで総称したものである。
【００５７】
図１３は静電霧化装置７７の構造を示す模式図である。図１３において、静電霧化装置７７は、放電電極７７ａ、対向電極７７ｂ、放電電極７７ａを冷却する冷却装置７７ｃ、及び冷却装置７７ｃが発生する熱を放出する放熱板７７ｄを備えている。また、放電電極７７ａと対向電極７７ｂとの間には、高電圧発生装置７８、冷却装置７７ｃには冷却装置駆動電源７９が接続される。
【００５８】
高電圧発生装置７８は、図示しない外部電源から供給された電力を高圧電気として出力する高電圧発生回路が含まれる。発生した高電圧は、放電電極７７ａに印加されて、対向電極７７ｂとの間に放電を発生させる。
【００５９】
冷却装置７７ｃは放電電極７７ａを冷却して空気中の水分をその表面に結露させるための装置であり、小型であることが求められるためペルチェ素子が一般に使用され、特に放電電極７７ａの先端部を結露水の水膜で覆うために使用される。
【００６０】
冷却装置駆動電源７９は、冷却装置７７ｃとしてのペルチェ素子に直流電気を供給するためのものであり、図示しない外部電源から電力供給を受けて直流電気を発生する。冷却装置７７ｃの冷却能力は、冷却装置駆動電源７９が供給する電流によって調節することができ、電流が大きいほど冷却能力は大きくなる。
【００６１】
放熱板７７ｄは、放電電極７７ａを冷却する際に冷却装置７７ｃが奪った熱を空気中に放熱させるものであり、熱伝導性の高いアルミニウム等の金属で形成されている。
【００６２】
以上のように構成された静電霧化装置７７において、冷却され結露を生じた状態の放電電極７７ａに高電圧が印加されると、対向電極７７ｂとの間に放電現象が生じ、その時に放電電極７７ａ表面の水膜が微細な水滴に分散させられる。放電電極７７ａに負の高電圧が印加された場合には、発生した微細な水滴は、放電によって負電荷を帯びた帯電微粒子水となるとともに、更に放電によって生じた活性種である水酸基ラジカル及び過酸化水素を含む。これらの活性種によって、空気中の浮遊菌を殺菌することができる。
【００６３】
（実施の形態２）
実施の形態１では、送風装置１０は、集中用吹出口４にスライド式の構造とした扉４ａが設けられているが、実施の形態２では、送風装置１００は、集中用吹出口４０に押し下げ式構造とした扉４０ａが設けられている。なお、実施の形態２では、実施の形態１と同じ部品には同じ符号を付し、説明を省略する。
【００６４】
図１４は本発明の実施の形態２に係る送風装置１００の外観平面図、図１５は本発明の実施の形態２に係る送風装置１００の外観側面図である。図１４及び図１５においては、集中用吹出口４０に扉４０ａが設けられている。扉４０ａは押し下げ式構造とされており、外部から押された時に、送風装置１００の内部方向に移動可能である。
【００６５】
図１６は図１４中のＸＶＩ−ＸＶＩ線による送風装置１００の側面断面図、図１７は図１４中のＸＶＩＩ−ＸＶＩＩ線による送風装置１００の側面断面図、図１８は図１５中のＸＶＩＩＩ−ＸＶＩＩＩによる送風装置１００の平面断面図である。図１６〜図１８に示すように、筐体１の内部のほぼ中央には、四方を隔壁７０で囲んだ室が設けられている。該室の内部には、移動床４０ｂが設けられている。移動床４０ｂは、概ね蓋なし箱の形状で、底板の三方に壁が隔壁７０に沿って正面ケース１ａの内面へ立ち上げられており、吸込口３側の壁が切除されて開口が形成されている。移動床４０ｂは支柱４０ｃを介して扉４０ａと接続されている。移動床４０ｂと背板１ｂの内面との間には、バネ４１が設けられている。移動床４０ｂはバネ４１によって背板１ｂとの間に空間ができるように付勢される。
【００６６】
図示しないが、扉４０ａ及び移動床４０ｂは、ロック機構によって押し込まれた位置で状態が維持されるとともに、再び押し込まれるとロック状態が解除され、初期の集中用吹出口４０を閉鎖させる位置に戻って維持される構造を有する。
【００６７】
隔壁７０の吸込口３に面する側には、送風路壁６３，６４が隔壁７０と繋がるように背板１ｂの内面から正面ケース１ａの内面に到達して立設された連接されている。送風路壁６３，６４、正面ケース１ａ、及び背板１ｂは、吸込口３に繋がる送風路６０ｃを形成する。送風路６０ｃには、実施の形態１と同様に、イオン発生素子７が取り付けされている。イオン発生素子７と吸込口３との間には、イオン発生素子７の方向に送風する送風機８０が設置されている。送風機８０により、吸込口３から吸い込まれた気流ＳＡは、放電電極７ａを包み込むようにして流通する。
【００６８】
隔壁７０の拡散用吹出口２ａに面する側には、背板１ｂから立設された送風路壁６７，６８と、送風路天井７１とが連接されている。送風路壁６７，６８、送風路天井７１、及び背板１ｂは、拡散用吹出口２ａに繋がる送風路６０ｄを形成する。同様に、隔壁７０の拡散用吹出口２ｂに面する側には、背板１ｂから立設された送風路壁６７，６９と、送風路天井７２とが連接されている。送風路壁６７，６９、送風路天井７２、及び背板１ｂは、拡散用吹出口２ｂに繋がる送風路６０ｅを形成する。
【００６９】
制御部９側の隔壁７０は、背板１ｂの内面から正面ケース１ａの内面に到達して立設されている。他の三方の隔壁７０は、背板１ｂ側の部分が切除されて開口となり、これらの開口により、送風路６０ｃ、送風路６０ｄ、及び送風路６０ｅが繋がっている。
【００７０】
以下、このように構成された送風装置１００が運転している時の気流の動きを図１６〜図２０を参照して説明する。図１９は集中吹出の場合の気流を図１４中のＸＶＩ−ＸＶＩ断面で捉えた概念図、図２０は集中吹出の場合の気流を図１４中のＸＶＩＩ−ＸＶＩＩ断面で捉えた概念図である。
【００７１】
まず、通常吹出の場合の気流の動きについて説明を行う。図１６及び図１７に示すように、通常吹出の場合では、集中用吹出口４０が閉鎖されており、移動床４０ｂが送風路天井７１及び送風路天井７２とほぼ同じ高度に維持されており、背板１ｂと移動床４０ｂとの間に空間を形成している。このように、吸込口３、送風機８０、及び拡散用吹出口２ａ，２ｂを連結する第一送風経路が形成されている。また、移動床４０ｂが隔壁７０に囲まれた室の内部を塞いでいるため、移動床４０ｂよりも上の室内部の空間には気流は進入しない。そのため、吸込口３から吸い込まれた気流ＳＡは、送風機８０によって背板１ｂと移動床４０ｂとの間の隔壁７０内の空間に送風され、左右に分かれて送風路６０ｄ，６０ｅに進入し、一方は気流ＥＡ２１として拡散用吹出口２ａから外部へ吹き出され、他方は気流ＥＡ２２として拡散用吹出口２ｂから外部へ吹き出される。
【００７２】
次に、集中吹出の場合の気流の動きについて説明をする。集中吹出の場合では、扉４０ａを送風装置１００の内部に向かって押し込むことで、扉４０ａに接続されている支柱４０ｃを介して移動床４０ｂが押し下げられ、図示しないロック機構により維持されて、集中用吹出口４０が開放される。図１８〜図２０に示すように、移動床４０ｂが押し下げられた状態では、隔壁７０に囲まれた室が送風路６０ｃに連通される。この状態では、吸込口３、送風機８０及び集中用吹出口４０を連結する第二送風経路が形成され、送風路６０ｄ，６０ｅは移動床４０ｂの拡散用吹出口２ａ，２ｂ側の壁によって閉止されており、気流の拡散用吹出口２ａ，２ｂへの流通が阻止される。従って、送風機８０によって吸込口３から吸い込まれた気流ＳＡは、移動床４０ｂの上方に押し込まれ、隔壁７０の内側に沿って上昇する。押し上げられた気流ＥＡは、集中用吹出口４０の縁と扉４０ａとの隙間から気流ＥＡ２３及び気流ＥＡ２４となって外部へ吹き出される。
【００７３】
実施の形態２では、集中用吹出口４０が閉鎖状態になっている場合には、送風装置１００の内部に前述した第一送風経路が形成されるが、扉４０ａが送風装置１００の内部に向かって押し込まれて、集中用吹出口４０が開放状態となっている場合には、前述した第二送風経路が形成される。このように、扉４０ａの開閉によって第一送風経路及び第二送風経路が切り替えて、吹出口を変更することができる。
【００７４】
また、実施の形態２では、実施の形態１と同様に、集中吹出の場合は、通常吹出の場合と比較して、一つの方向に送出される正負イオン量が多い。通常吹出の場合に気流が２方向に分割されたため、集中吹出の場合に一つの方向に送出されるイオン量は通常吹出の場合の約２倍になる。更に、集中吹出の場合では、送風機８０を通過した後、外部に吹き出されるまでの経路が短く、イオンが送風路等に吸収されることは少なくない、発生した正負イオンを最大限活用することが可能になる。
【符号の説明】
【００７５】
１    筐体
２ａ，２ｂ    拡散用吹出口
３    吸込口
４，４０    集中用吹出口
４ａ，４０ａ    扉
６０ａ，６０ｂ，６０ｃ，６０ｄ，６０ｅ    送風路
６１，６２，６３，６４，６５，６７，６８，６９    送風路壁
６６，７０    隔壁
７１，７２    送風路天井
７    イオン発生素子
８，８０    送風機
１０，１００    送風装置
１１    衣類収納庫
７７    静電霧化装置
【図１】
2013242109.tif 000003
【図２】
2013242109.tif 000004
【図３】
2013242109.tif 000005
【図４】
2013242109.tif 000006
【図５】
2013242109.tif 000007
【図６】
2013242109.tif 000008
【図７】
2013242109.tif 000009
【図８】
2013242109.tif 000010
【図９】
2013242109.tif 000011
【図１０】
2013242109.tif 000012
【図１１】
2013242109.tif 000013
【図１２】
2013242109.tif 000014
【図１３】
2013242109.tif 000015
【図１４】
2013242109.tif 000016
【図１５】
2013242109.tif 000017
【図１６】
2013242109.tif 000018
【図１７】
2013242109.tif 000019
【図１８】
2013242109.tif 000020
【図１９】
2013242109.tif 000021
【図２０】
2013242109.tif 000022